(57)【要約】      （修正有）【課題】接着剤を使用するときの短所を補完することができるブラシおよびその製造方法を提供する。【解決手段】ブラシおよびその製造方法が開示される。ブラシは、ブラシ毛と、ブラシ毛が結合されるブラシ結束部１２を備えたブラシ毛部１０；ブラシ結束部１２の一端部が支持されるブラシボディ２０；一側部は、ブラシボディ２０に結合され、他側部は、ブラシ結束部１２の端に結合され、金属円管を含む結合部材３０；およびブラシボディ２０とブラシ結束部１２の間に設けられ、ブラシ結束部１２のがたつきを防止する固定部材４０を含み、結合部材４０とブラシボディ２０が接触する領域の結合部材４０を加圧して結合部材４０とブラシボディ２０を結合させることを特徴とする。【選択図】図２
2017113570.tif 000002
【特許請求の範囲】
【請求項１】
ブラシ毛と、前記ブラシ毛が結合されるブラシ結束部を備えたブラシ毛部；
前記ブラシ結束部の一端部が支持されるブラシボディ；
一側部は、前記ブラシボディに結合され、他側部は、前記ブラシ結束部の端に結合され、金属円管を含む結合部材；および
前記ブラシボディと前記ブラシ結束部の間に設けられ、前記ブラシ結束部のがたつきを防止する固定部材を含み、
前記結合部材と前記ブラシボディが接触する領域の前記結合部材が加圧されて前記結合部材と前記ブラシボディが結合している
ことを特徴とするブラシ。
【請求項２】
前記ブラシ結束部の最外側の端には、前記ブラシ毛が設けられず、前記結合部材の上端部は、前記最外側の端に曲げられて係合されている
ことを特徴とする請求項１に記載のブラシ。
【請求項３】
前記固定部材はパッキンを含む
ことを特徴とする請求項１に記載のブラシ。
【請求項４】
前記ブラシボディは木の材質で製作されている
ことを特徴とする請求項１に記載のブラシ。
【請求項５】
前記ブラシボディは、金属材質で製作されており、
前記結合部材が加圧される領域の前記ブラシボディには加圧溝が設けられている
ことを特徴とする請求項１に記載のブラシ。
【請求項６】
前記ブラシボディの上側部には、切欠溝が設けられている
ことを特徴とする請求項５に記載のブラシ。
【請求項７】
前記結合部材は、ブラシ結合装置を用いて前記ブラシボディに結合されており、
前記ブラシ結合装置は、
本体に設けられ、ブラシのブラシ毛部をブラシボディに固定させる結合部材を加圧して前記結合部材を前記ブラシボディに結合させるブラシ加圧結合部；
前記本体に設けられ、前記ブラシを前記加圧結合部に移動させるブラシ移動部；および
前記ブラシ移動部に設けられ、前記ブラシを回転させるブラシ回転駆動部を含む
請求項１に記載のブラシ。
【請求項８】
金属円管を含む結合部材の上端部を曲げて、ブラシ毛が結合されたブラシ結束部の端に結合させるステップ；
前記結合部材の内部に固定部材を挿入させて前記固定部材に前記ブラシ結束部を支持するステップ；
前記固定部材を支持するようにブラシボディの上側部を前記結合部材に挿入させるステップ；および
前記結合部材と前記ブラシボディが接触する領域の前記結合部材を加圧して前記ブラシボディに結合させるステップを含む
ブラシの製造方法。
【請求項９】
前記結合部材と前記ブラシボディの加圧は、ブラシ結合装置によってなされる
ことを特徴とする請求項８に記載のブラシの製造方法。
【発明の詳細な説明】
【技術分野】
【０００１】
本発明は、ブラシおよびその製造方法に関し、さらに詳細には、機械的な力で加圧して製造されるブラシおよびその製造方法に関する。
【背景技術】
【０００２】
一般的に化粧をするために使用される化粧品は、液体、固体、液体と固体が混合された状態をなす。このうち固体形態の化粧品を顔に塗るために、様々な形状やサイズのブラシが開発されて使用されている。
【０００３】
すなわち、前述したブラシは、固体粉末からなる化粧品をブラシの毛につけて適当に顔などに塗布することができるように設けられる。このようなブラシは、ユーザーが手で把持することができるグリップと、このグリップの先端に設けられて複数の毛からなるブラシと、からなる。
【０００４】
以前は、ブラシをグリップに接着剤のような化学物質を用いて結合させた。この場合、接着剤は化学物質からなり、人体に有害な影響を与える可能性があり、これを考慮して人体に無害な接着剤を使用する場合、製造コストが上昇するという問題点がある。
【０００５】
そして、接着剤は熱に脆弱な物質であるため、熱にさらされる場合、接着部分がはがれて耐久性が低下する問題点がある。
【０００６】
前述した技術構成は、本発明の理解を助けるための背景技術であって、本発明が属する技術分野で広く知られている従来技術を意味するものではない。
【先行技術文献】
【特許文献】
【０００７】
【特許文献１】韓国登録実用新案第２０−０２５５１２５号公報
【発明の概要】
【発明が解決しようとする課題】
【０００８】
したがって、本発明が解決しようとする技術的課題は、ブラシを機械的な力で加圧して結合させることにより、接着剤を使用するときの短所を補完することができるブラシおよびその製造方法を提供することである。
【課題を解決するための手段】
【０００９】
本発明の一側面によれば、ブラシ毛と、前記ブラシ毛が結合されるブラシ結束部を備えたブラシ毛部；前記ブラシ結束部の一端が支持されるブラシボディ；一側部は、前記ブラシボディに結合され、他側部は、前記ブラシ結束部の端に結合され、金属円管を含む結合部材；および前記ブラシボディと前記ブラシ結束部の間に設けられ、前記ブラシ結束部のがたつきを防止する固定部材を含み、前記結合部材と前記ブラシボディが接触する領域の前記結合部材が加圧されて前記結合部材と前記ブラシボディが結合していることを特徴とするブラシを提供することができる。
【００１０】
前記ブラシ結束部の最外側の端には、前記ブラシ毛が設けられず、前記結合部材の上端部は、前記最外側の端に曲げられて係合されているものとすることができる。
【００１１】
前記固定部材はパッキンを含むことができる。
【００１２】
前記ブラシボディは木の材質で製作することができる。
【００１３】
前記ブラシボディは、金属材質で製作され、前記結合部材が加圧される領域の前記ブラシボディには加圧溝を設けることができる。
【００１４】
前記ブラシボディの上側部には、切欠溝を設けることができる。
【００１５】
前記結合部材は、ブラシ結合装置を用いて前記ブラシボディに結合され、前記ブラシ結合装置は、本体に設けられ、ブラシのブラシ毛部のブラシボディに固定させる結合部材を加圧して前記結合部材を前記ブラシボディに結合させるブラシ加圧結合部；前記本体に設けられ、前記ブラシを前記加圧結合部に移動させるブラシ移動部；および前記ブラシ移動部に設けられ、前記ブラシを回転させるブラシ回転駆動部を含むことができる。
【００１６】
また、本発明の他の側面によると、金属円管を含む結合部材の上端部を曲げて、ブラシ毛が結合されたブラシ結束部の端に結合させるステップ；前記結合部材の内部に固定部材を挿入させて前記固定部材に前記ブラシ結束部を支持するステップ；前記固定部材を支持するようにブラシボディの上側部を前記結合部材に挿入させるステップ；および前記結合部材と前記ブラシボディが接触する領域の前記結合部材を加圧して前記ブラシボディに結合させるステップを含むブラシの製造方法が提供されうる。
【００１７】
前記結合部材と前記ブラシボディの加圧は、ブラシ結合装置によってなされうる。
【発明の効果】
【００１８】
本発明の実施例は、結合部材とブラシボディが接触する領域の結合部材を加圧して結合部材とブラシボディを結合させるので、接着剤なしで組み立てることができ、接着剤の有害成分を根本的に遮断することができる。
【００１９】
また、ブラシ毛部と結合部材との間に固定部材を設け、ブラシボディを結合する前に、ブラシ毛部のがたつきをとることができる。
【図面の簡単な説明】
【００２０】
【図１】本発明の一実施例に係るブラシを概略的に示す斜視図である。
【図２】図１に示された結合部材を加圧する前の概略的な断面図である。
【図３】本実施例の製造方法で、図２に示されたブラシ毛部を概略的に示す図である。
【図４】本実施例の製造方法で、図３に結合部材の上端部が結合されたことを概略的に示す図である。
【図５】本実施例の製造方法で、図４に固定部材が結合されたことを示す図である。
【図６】本実施例の製造方法で、図５に示された結合部材の外壁を加圧することを概略的に示す図である。
【図７】本発明の他の実施例に係るブラシを概略的に示す断面図である。
【図８】図７に示されたブラシボディの上側部を示す拡大図である。
【図９】本実施例の結合部材の結合に使用されるブラシ結合装置を概略的に示す斜視図である。
【図１０】図９の概略的な側面図である。
【図１１】図９の正面図である。
【図１２】図９に示された加圧ヘッド領域の拡大図である。
【図１３】図９に示された加圧ヘッドの拡大図である。
【図１４】図９に示された加圧ヘッドが加圧ボディに移動されたことを概略的に示す斜視図である。
【発明を実施するための形態】
【００２１】
本発明と本発明の動作上の利点および本発明の実施によって達成される目的を十分に理解するためには、本発明の好ましい実施例を例示する添付図面および添付図面に記載された内容を参照しなければならない。
【００２２】
以下、添付された図面を参照して、本発明の好ましい実施例を説明することにより、本発明を詳細に説明する。各図面に提示された同じ参照符号は同じ部材を示す。
【００２３】
図１は、本発明の一実施例に係るブラシを概略的に示す斜視図であり、図２は、図１に示された結合部材を加圧する前の概略的な断面図であり、図３は、本実施例の製造方法で、図２に示されたブラシ毛部を概略的に示す図であり、図４は、本実施例の製造方法で、図３に結合部材の上端部が結合されたことを概略的に示す図であり、図５は、本実施例の製造方法で、図４に固定部材が結合されたことを示す図であり、図６は、本実施例の製造方法で、図５に示された結合部材の外壁を加圧することを概略的に示す図である。
【００２４】
これらの図に示すように、本実施例に係るブラシ１は、ブラシ毛１１が結合されるブラシ結束部１２を備えたブラシ毛部１０と、ブラシ結束部１２の一端部が支持されるブラシボディ２０と、一側部はブラシボディ２０に結合され、他側部はブラシ結束部１２の端に結合され、金属円管を含む結合部材３０と、ブラシボディ２０とブラシ結束部１２の間に設けられ、ブラシ結束部１２のがたつきを防止する固定部材４０と、を備える。
【００２５】
ブラシ毛部１０は、図２に示すように、ブラシ毛１１と、ブラシ毛１１を結束させるブラシ結束部１２と、を含む。
【００２６】
本実施例で、ブラシ毛１１は、図３に示すように、ブラシ結束部１２の最外側の端を除く領域に設けられる。これは、ブラシ結束部１２の最外側の端に金属円管を含む結合部材３０の上端部が結合される場所を提供するためである。
【００２７】
ブラシボディ２０は、上側部が図５に示された結合部材３０の内部に挿入されて固定部材４０の底面部に接触するよう嵌められた後、ブラシボディ２０と接触する領域が加圧される結合部材３０によってブラシ毛部１０としっかり固定される。
【００２８】
本実施例で、ブラシボディ２０の上側部外周面には、挿入された結合部材３０が係止されるように段差を設けることができる。
【００２９】
また、本実施例で、ブラシボディ２０は木の材質で設けてもよい。
【００３０】
結合部材３０は、図２に示すように、ブラシ毛部１０をブラシボディ２０に結合させる役割をし、本実施例は、接着剤なしでブラシボディ２０に接触する領域の結合部材３０を後述するブラシ結合装置を用いて加圧して結合させることができる。
【００３１】
本実施例で、結合部材３０は、金属材質で製作されてもよく、結合部材３０の上端部は、図４に示すように、ブラシの方向に曲げてブラシ結束部１２の上面部に係止させることができる。
【００３２】
固定部材４０は、図５に示すように、ブラシ結束部１２に上端部が結合された結合部材３０の内部に挿入されて、ブラシ結束部１２の底面部を支持する。その結果、ブラシボディ２０が結合部材３０の内部に挿入される前に、ブラシ結束部１２のがたつきを防止することができる。
【００３３】
本実施例で、固定部材４０はパッキンを含み、このパッキンは高発泡（発泡スポンジ）で製作することができる。
【００３４】
以下で図３乃至図６を参照して、本実施例の製造方法を簡略に説明する。
【００３５】
まず、図３に示すように、ブラシ毛１１をブラシ結束部１２に支持するが、ブラシ結束部１２の面積をブラシ毛１１の底面よりも大きく製作する。本実施例で、ブラシ毛１１とブラシ結束部１２の結合は、公知の技術がそのまま適用されうる。
【００３６】
次に、図３に示すように、結合部材３０の上端部を曲げてブラシ結束部１２の上面部に結合させる。
【００３７】
以後、図５に示すように、固定部材４０を結合部材３０の内部に挿入させてブラシ結束部１２の底面部を支持する。
【００３８】
最後に、図６に示すように、結合部材３０の下側部を加圧して結合部材３０をブラシボディ２０に結合させる。本実施例で、結合部材３０の加圧は、後述するブラシ結合装置により半自動的に行うことができる。
【００３９】
図７は、本発明の他の実施例に係るブラシを概略的に示す断面図であり、図８は、図７に示されたブラシボディの上側部を示す拡大図である。
【００４０】
本実施例に係るブラシ１ａは、図７および図８に示すように、ブラシボディ２０ａに切欠溝と加圧溝を設けた点で、前述した実施例との相違点がある。これは、本実施例で、ブラシボディ２０ａが、金属材料で製作されることを考慮したものである。
【００４１】
すなわち、ブラシボディ２０ａを金属材質で製作する場合、ブラシボディ２０ａに、別途の溝を設けずに結合部材３０を加圧すると、結合部材３０の加圧が正常に行われず、結合するのに困難がある。
【００４２】
本実施例は、これを考慮して、図７および図８に示すように、ブラシボディ２０ａに加圧溝を設け、結合部材３０の挿入空間を提供することができる。
【００４３】
また、本実施例は、ブラシボディ２０ａの上側部に複数の切欠溝を設けて、ブラシボディ２０ａの結合部材３０への内部挿入を容易にすることができる。
【００４４】
一方、本実施例で、結合部材３０の加圧は、図９に示されたブラシ結合装置５０によってなされうる。
【００４５】
図９は、本実施例の結合部材の結合に用いられるブラシ結合装置を概略的に示す斜視図であり、図１０は、図９の概略的な側面図であり、図１１は、図９の正面図であり、図１２は、図９に示された加圧ヘッド領域の拡大図であり、図１３は、図９に示された加圧ヘッドの拡大図であり、図１４は、図９に示された加圧ヘッドが加圧ボディに移動されたことを概略的に示す斜視図である。
【００４６】
本実施例に係るブラシ結合装置５０は、本体１００に設けられ、ブラシ１のブラシ毛部１０をブラシボディ２０に固定させる結合部材３０を加圧して結合部材３０をブラシボディ２０に結合させるブラシ加圧結合部２００と、本体１００に設けられ、ブラシ１を加圧結合部に移動させるブラシ移動部３００と、ブラシ移動部３００に設けられ、ブラシ１を回転させるブラシ回転駆動部４００を備える。
【００４７】
本体１００は、図９に示すように、内部が空いている六面体形状で設けることができ、複数の支持脚１１０によって支持することができる。
【００４８】
本実施例で、本体１００は金属材質で製作することができ、本体１００の内部には、駆動モータ２３１が配置されることができる。
【００４９】
ブラシ加圧結合部２００は、図２に示された金属円管を含む結合部材３０を加圧してブラシボディ２０に接着剤を使用せずに機械的な力で結合させる役割をする。
【００５０】
本実施例で、ブラシ加圧結合部２００は、図９に示すように、本体１００の前面部に結合され、中央に中央ホール２１１が設けられた加圧ボディ２１０と、一端部は加圧ボディ２１０の中央ホール２１１に引き出されて結合部材３０を加圧し、他端部は加圧ボディ２１０の外部に露出される複数の加圧片２２０と、本体１００に設けられ複数の加圧片２２０を中央ホール２１１の中心方向に引き出して結合部材３０を加圧させる加圧片駆動部２３０を含む。
【００５１】
ブラシ加圧結合部２００の加圧ボディ２１０は、図９および図１２に示すように、円形状で設けられてもよく、本体１００に結合された状態であるため、加圧ヘッド２３３と別に固定されている。
【００５２】
本実施例で、加圧ボディ２１０の中央ホール２１１には、結合部材３０が嵌められたブラシボディ２０の領域が複数の加圧片２２０による加圧結合のために挿入される。
【００５３】
ブラシ加圧結合部２００の複数の加圧片２２０は、図９に示すように、加圧ボディ２１０が加圧ヘッド２３３によって囲まれる前には、一端部が加圧ボディ２１０の中央ホール２１１に露出されず、他端部が加圧ボディ２１０の外周面の外側に突出している。
【００５４】
この状態で、図１４に示すように、加圧ヘッド２３３が本体１００の方向に移動され、加圧ボディ２１０を囲めば、加圧ヘッド２３３の加圧力により、複数の加圧片２２０が中央ホール２１１の中央部に引き出され、ブラシボディ２０を囲む結合部材３０を加圧して結合部材３０をブラシボディ２０に結合させる。
【００５５】
再び加圧ヘッド２３３が元の位置に復帰すると、複数の加圧片２２０は、加圧ボディ２１０に設けられたばねの復元力によって復元され、元の位置に移動される。本実施例で、複数の加圧片２２０の弾性復元は、加圧ボディ２１０の内部溝に一側部が固定され、他側部は加圧片２２０に固定されてばね（図示せず）によってなされうる。
【００５６】
本実施例で、加圧ボディ２１０の外周面に露出される複数の加圧片２２０は、図９に示すように、本体１００に近い方向に傾斜が高く、本体１００から遠ざかるほど傾斜が低くなるように設けることができる。この場合、加圧ヘッド２３３の加圧時に複数の加圧片２２０を円滑でスムーズに移動させられる利点がある。
【００５７】
ブラシ加圧結合部２００の加圧片駆動部２３０は、図９に示すように、本体１００に設けられ、複数の加圧片２２０を加圧ボディ２１０の中央ホール２１１方向に引き出して結合部材３０をブラシボディ２０に加圧して結合させる役割をする。
【００５８】
本実施例で、加圧片駆動部２３０は、図９に示すように、本体１００の内部に設けられる駆動モータ２３１と、一側部は駆動モータ２３１に連結され、他側部は本体１００の前方壁を貫通し、駆動モータ２３１の駆動により前後移動される一対の移動ロッド２３２と、一対の移動ロッド２３２の端部に結合され、一対の移動ロッド２３２とともに移動され、加圧ボディ２１０の外周面を囲んで複数の加圧片２２０を移動させる加圧ヘッド２３３を含む。
【００５９】
加圧片駆動部２３０の加圧ヘッド２３３は、図９に示すように、円形状で設けられてもよく、加圧ヘッド２３３の中央部は穿孔されている。
【００６０】
本実施例で、加圧ヘッド２３３の内壁には、図１３に示すように、複数のヘッド溝２３３ａが設けられる。本実施例で、複数のヘッド溝２３３ａは、複数の加圧片２２０と対応する位置に設けてもよく、複数の加圧片２２０の傾斜領域に対応するように傾斜させて設けてもよい。
【００６１】
ブラシ移動部３００は、作業対象のブラシ１をホールディングして、ブラシ加圧結合部２００の方向に前後移動させる役割をする。
【００６２】
本実施例で、ブラシ移動部３００は、図９および図１０に示すように、本体１００に結合される一対の移動ガイドロッド３１０と、一対の移動ガイドロッド３１０に連結されて移動ガイドロッド３１０の長さ方向に移動される移動ボディ３２０と、移動ボディ３２０に連結されて移動ボディ３２０を移動させる移動シリンダ３３０と、移動シリンダ３３０が結合される移動シリンダ固定ボディ３４０と、一側部は本体１００に結合され、他側部には、移動シリンダ固定ボディ３４０が結合されるコネクタロッド３５０と、移動ボディ３２０に設けられ、ブラシ１をホールディングするブラシホルダ３６０と、を含む。
【００６３】
ブラシ移動部３００の一対の移動ガイドロッド３１０は、一端部が本体１００に着脱可能にボルト結合することができ、ブラシホルダ３６０が装着される移動ボディ３２０の前後摺動をガイドする役割をする。
【００６４】
ブラシ移動部３００の移動シリンダ３３０は、図１０に示すように、ロッドによって移動ボディ３２０に連結されて移動ボディ３２０を移動ガイドロッド３１０の長さ方向に移動させる役割をする。その結果、移動ボディ３２０に結合されてブラシ１を固定させるブラシホルダ３６０も前後方向にともに移動する。
【００６５】
本実施例で、移動シリンダ３３０は、空気圧で作動される空気圧シリンダであってもよい。
【００６６】
ブラシ移動部３００の移動シリンダ固定ボディ３４０の下側部には、図１０に示すように、移動シリンダ３３０がブラケットによってボルト結合され、その上側部はコネクタロッド３５０に分離可能にボルト結合することができる。
【００６７】
ブラシ移動部３００のコネクタロッド３５０は、図１０に示すように、一端部が本体１００に分離可能にボルト結合することができる。
【００６８】
ブラシ移動部３００のブラシホルダ３６０は、ブラシ１を自動的にホールディングおよび解除する。
【００６９】
本実施例で、ブラシホルダ３６０は、図９に示すように、移動ボディ３２０に結合されるホルダボディ３６１と、ホルダボディ３６１に結合されるホルダモータ３６２と、ホルダモータ３６２に連結されてブラシ１をホールディングする一対のホルダはさみ３６３と、を含む。
【００７０】
ブラシホルダ３６０のホルダボディ３６１は、移動ボディ３２０に回転可能に結合することができる。例えば、移動ボディ３２０にベアリングを有する軸を設けて、ホルダボディ３６１をベアリングに嵌合する方式で結合することができる。
【００７１】
ブラシホルダ３６０のホルダモータ３６２は、空気圧で作動される空気圧モータであってもよく、一対のホルダはさみ３６３を空気圧モータの高さ方向に開けたり閉じたりしてブラシ１をホールディングすることができる。本実施例で、ホルダモータ３６２と一対のホルダはさみ３６３の連結および作動は、公知のロボット分野などで一般的に使用される技術をそのまま採用することができる。
【００７２】
ブラシ回転駆動部４００は、ブラシ加圧結合部２００によって一度加圧された結合部材３０の他の部分を加圧するためにブラシホルダ３６０を一定の角度、例えば約２０度ほど回転させる役割をする。
【００７３】
本実施例で、ブラシ回転駆動部４００は、図９に示すように、移動ボディ３２０にボルト結合されるベースボディ４１０と、ベースボディ４１０に結合される回転駆動モータ４２０と、下側部は回転駆動モータ４２０に連結され、上側部はホルダボディ３６１に連結されてブラシホルダ３６０を回転させる回転コネクタ４３０と、を含む。
【００７４】
本実施例で、回転駆動モータ４２０は、回転コネクタ４３０を上昇または下降させて、回転コネクタ４３０には、図１１に示すように、ホルダボディ３６１の端部が連結されている。ホルダボディ３６１は、前述したように、ベアリング等により回転可能に結合されるため、回転駆動モータ４２０の駆動により回転コネクタ４３０が下降されると、回転コネクタ４３０に連結されたホルダボディ３６１が、図１１を基準に時計回りに回転される。その結果、一対のホルダはさみ３６３に固定されたブラシ１も時計方向に回転される。
【００７５】
以下で、前述した図面を参照して、本実施例の作動を簡略に説明する。
【００７６】
まず、図９に示された一対のはさみにブラシ毛部１０と結合部材３０が嵌合されたブラシボディ２０を結合する。その後、ブラシ移動部３００を駆動させ、ブラシホルダ３６０を加圧ヘッド２３３の中央ホール２１１に移動させる。
【００７７】
この状態で、ブラシ加圧結合部２００を駆動させて加圧ヘッド２３３を本体１００の前方壁方向に移動させる。図１４に示すように、加圧ヘッド２３３が加圧ボディ２１０の外周面を囲めば、複数の加圧片２２０が加圧ボディ２１０の中央ホール２１１に引き出され、ブラシボディ２０に位置された結合部材３０を加圧して結合部材３０をブラシボディ２０に固定結合させる。
【００７８】
その後、加圧ヘッド２３３を元の位置にした後、ブラシ回転駆動部４００を駆動させ、ブラシホルダ３６０を一定角度の約２０度回転させる。再び加圧ヘッド２３３が加圧ボディ２１０を囲むように移動させて複数の加圧片２２０に結合部材３０を加圧する。このとき、結合部材３０には、図１に示すように、連続した溝が設けられる。
【００７９】
最後に、加圧ヘッド２３３を元の位置にした後、ブラシ移動部３００で作業完了したブラシ１を元の位置にした後、一対のホルダはさみ３６３からブラシ１を分離する。
【００８０】
以上で察し見たように、本実施例は、結合部材とブラシボディが接触される領域の結合部材を加圧して結合部材とブラシボディを結合させるので、接着剤なしで組み立てることができ、接着剤の有害成分を根本的に遮断することができる。
【００８１】
また、ブラシ毛部と結合部材との間に固定部材を設け、ブラシボディを結合する前に、ブラシ毛部のがたつきを取ることができる。
【００８２】
このように、本発明は、記載された実施例に限定されるものではなく、本発明の思想および範囲を逸脱することなく様々に修正および変形できることは、この技術の分野における通常の知識を有する者にとって自明である。したがって、そのような修正例または変形例は、本発明の特許請求の範囲に属するものといえる。
【符号の説明】
【００８３】
１、１ａ：  ブラシ
１０：        ブラシ毛部
１１：        ブラシ毛
１２：        ブラシ結束部
２０、２０ａ：ブラシボディ
２１：        切欠溝
２２：        加圧溝
３０：        結合部材
４０：        固定部材
５０：        ブラシ結合装置
１００：        本体
１１０：        支持脚
２００：        ブラシ加圧結合部
２１０：        加圧ボディ
２１１：        中央ホール
２２０：        加圧片
２３０：        加圧片駆動部
２３１：        駆動モータ
２３２：        移動ロッド
２３３：        加圧ヘッド
２３３ａ：      ヘッド溝
３００：        ブラシ移動部
３１０：        移動ガイドロッド
３２０：        移動ボディ
３３０：        移動シリンダ
３４０：        移動シリンダ固定ボディ
３５０：        コネクタロッド
３６０：        ブラシホルダ
３６１：        ホルダボディ
３６２：        ホルダモータ
３６３：        ホルダはさみ
４００：        ブラシ回転駆動部
４１０：        ベースボディ
４２０：        回転駆動モータ
４３０：        回転コネクタ
【図１】
2017113570.tif 000003
【図２】
2017113570.tif 000004
【図３】
2017113570.tif 000005
【図４】
2017113570.tif 000006
【図５】
2017113570.tif 000007
【図６】
2017113570.tif 000008
【図７】
2017113570.tif 000009
【図８】
2017113570.tif 000010
【図９】
2017113570.tif 000011
【図１０】
2017113570.tif 000012
【図１１】
2017113570.tif 000013
【図１２】
2017113570.tif 000014
【図１３】
2017113570.tif 000015
【図１４】
2017113570.tif 000016